(57)【要約】【課題】  停電や落雷があっても電気柵への通電が停止されることがなく継続でき、電気柵を常に機能させて動物の脱柵を防止して動物による二次被害の発生を防止する。【解決手段】  複数の杭２１の間に、地面とは絶縁された状態でワイヤ２２を張りめぐらしてこれにパワーユニット１０から高電圧を印加する動物用もしくはセキュリティ用の電気牧柵２０であって、そのパワーユニット１０に、このユニット１０を駆動するための複数の充電可能なバッテリ１１，１２と、バッテリ１１，１２を充電する少なくとも１個の充電器２と、切換装置３とを設け、切換装置３は、バッテリ１１，１２の内の一方を充電器２から切り離してパワーユニット１０に接続し、他方を、充電器２に接続するか、或いは中立状態にするようにした電気柵である。【選択図】      図１
2006174703.tif 000002
【特許請求の範囲】
【請求項１】
複数の杭又は碍子と、この杭又は碍子の間に、地面とは絶縁された状態で張りめぐらすワイヤと、このワイヤに高電圧を印加するパワーユニットとから構成される動物用もしくはセキュリティ用の電気柵において、
前記パワーユニットに、このユニットを駆動するための複数の充電可能な直流電源と、前記直流電源を充電する少なくとも１個の充電器と、切換装置とを設け、
前記切換装置は、前記直流電源の内の少なくとも１個を、前記充電器から切り離して前記パワーユニットに接続し、他の直流電源を、前記充電器に接続するか、或いは前記パワーユニットにも前記充電器にも接続されない中立状態にすることを特徴とする電気柵。
【請求項２】
請求項１に記載の電気柵であって、
前記切換装置は、前記パワーユニットに接続中の前記直流電源の所定状態以外の状態を検出した時に、これを前記パワーユニットから切り離し、同時に、前記他の直流電源の内の１つを前記パワーユニットに接続することを特徴とする電気柵。
【請求項３】
請求項２に記載の電気柵であって、
前記直流電源の所定状態以外の状態が、前記直流電源の出力電圧が所定電圧以下に低下した時、或いは、前記直流電源のコンダクタンスが所定値以上に悪化した時であることを特徴とする電気柵。
【請求項４】
請求項１に記載の電気柵であって、
前記切換装置は、前記パワーユニットに接続中の前記直流電源の接続時間が所定時間に達した時に、これを前記パワーユニットから切り離し、同時に、前記他の直流電源の内の１つを前記パワーユニットに接続することを特徴とする電気柵。
【請求項５】
請求項１に記載の電気柵であって、
前記直流電源には動作監視装置が接続されており、この動作監視装置は、前記パワーユニットに接続中の前記直流電源の動作不良を検出した時には、これを前記パワーユニットから切り離し、同時に、前記他の直流電源の内の１つを前記パワーユニットに接続することを特徴とする電気柵。
【請求項６】
請求項１から５の何れか１項に記載の電気柵であって、
前記パワーユニットと前記ワイヤとの間に、避雷回路が設けられていることを特徴とする電気柵。
【請求項７】
請求項６に記載の電気柵であって、
更に、前記パワーユニットの出力を監視するフェンス出力監視回路が設けられており、
前記パワーユニットが、入力側の切換回路と出力側の切換回路を介して複数設けられており、
前記入力側と前記出力側の切換回路は、前記複数のパワーユニットの内の１つが前記電気柵を駆動するように、前記フェンス出力監視回路によって同期して切り換えられるようになっており、
前記避雷回路が、サージ電流をグランドに逃がす第１の避雷回路と、前記パワーユニットの出力側にそれぞれ設けられたインピーダンスの異なる第２の避雷回路とから構成されていることを特徴とする電気柵。
【請求項８】
請求項１から７の何れか１項に記載の電気柵であって、
前記直流電源が、二次電池或いはコンデンサであることを特徴とする電気柵。
【発明の詳細な説明】
【技術分野】
【０００１】
本発明は電気柵の改良に関し、特に、電気柵に通電する電気柵の電源装置であるパワーユニットの改良に関する。
【背景技術】
【０００２】
従来、電気柵は、柵を構成する杭と杭に碍子を介して張りめぐらしたワイヤやフェンスに通電することにより、柵内への動物の侵入や柵内からの逃走を防止するために使用される。この場合、ワイヤは地面に対して絶縁された状態となっている。このような電気柵に使用する電源装置としてのパワーユニットには、電灯線のような商用電源を電源とするタイプのものと、バッテリを電源とするタイプのものがある。商用電源を電源とするタイプの電気柵は、例えば、特許文献１に記載がある。
【０００３】
【特許文献１】特開平１１−１６９００７号公報
【発明の開示】
【発明が解決しようとする課題】
【０００４】
ところが、商用電源を電源とするタイプの電源装置は、停電があると動作しなくなる問題があった。また、野山に敷設されているフェンス部に落雷が発生した場合には、落雷のサージがパワーユニットまで導かれ、パワーユニットが破壊されるにとどまらず、商用電源に接続する別の装置をも破壊する虞があり、この場合には大きなダメージが発生するという問題があった。
【０００５】
一方、バッテリ等の直流電源から電源の供給を受けるパワーユニットでは、バッテリの電圧が低下するとショックパルスの間隔が開いたり、ショックパルスの供給停止が起こるという問題があった。また、バッテリに充電器が接続されてフロート充電されるタイプのものでは、結果的に電気柵と商用電源が直接接続されるため、落雷によるサージ電流が充電器を介して商用電源に流れるので、結果的に商用電源を電源とするタイプのものと同様の問題点があった。
【０００６】
そして、電気柵に電源が供給されなくなると、動物が電気柵から脱柵し、その結果、逃げ出した動物による二次的な被害、例えば、動物による障害や動物と交通機関との衝突による交通事故等により、人間が傷つくという深刻な問題が発生する虞があった。
【０００７】
そこで、本発明は、前記従来の電気柵の有する課題を解消し、停電や落雷があっても電気柵への通電を停止することなく継続でき、動物による二次被害が発生する虞の少ない電気柵を提供することを目的としている。
【課題を解決するための手段】
【０００８】
前記目的を達成する本発明の電気柵の第１の形態は、複数の杭又は碍子と、この杭又は碍子の間に、地面とは絶縁された状態で張りめぐらすワイヤと、このワイヤに高電圧を印加するパワーユニットとから構成される動物用もしくはセキュリティ用の電気柵において、パワーユニットに、このユニットを駆動するための複数の充電可能な直流電源と、直流電源を充電する少なくとも１個の充電器と、切換装置とを設け、切換装置は、直流電源の内の少なくとも１個を充電器から切り離してパワーユニットに接続し、他の直流電源を、充電器に接続するか、或いはパワーユニットにも充電器にも接続されない中立状態にすることを特徴とする電気柵である。
【０００９】
本発明の第２の形態の電気柵は、第１の形態の電気柵において、切換装置は、パワーユニットに接続中の直流電源の所定状態以外の状態を検出した時に、これをパワーユニットから切り離し、同時に、他の直流電源の内の１つをパワーユニットに接続することを特徴とする電気柵である。
【００１０】
本発明の第３の形態の電気柵は、第２の形態の電気柵において、直流電源の所定状態以外の状態が、直流電源の出力電圧が所定電圧以下に低下した時、或いは、直流電源のコンダクタンスが所定値以上に悪化した時であることを特徴とする電気柵である。
【００１１】
本発明の第４の形態の電気柵は、第１の形態の電気柵において、切換装置は、パワーユニットに接続中の直流電源の接続時間が所定時間に達した時に、これをパワーユニットから切り離し、同時に、他の直流電源の内の１つをパワーユニットに接続することを特徴とする電気柵である。
【００１２】
本発明の第５の形態の電気柵は、第１の形態の電気柵において、直流電源には動作監視装置が接続されており、この動作監視装置は、パワーユニットに接続中の直流電源の動作不良を検出した時には、これをパワーユニットから切り離し、同時に、他の直流電源の内の１つをパワーユニットに接続することを特徴とする電気柵である。
【００１３】
本発明の第６の形態の電気柵は、第１から第５の形態の電気柵において、パワーユニットとワイヤとの間に、避雷回路が設けられていることを特徴とする電気柵である。
【００１４】
本発明の第７の形態の電気柵は、第６の形態の電気柵において、更に、パワーユニットの出力を監視するフェンス出力監視回路が設けられており、パワーユニットが、入力側の切換回路と出力側の切換回路を介して複数設けられており、入力側と出力側の切換回路は、複数のパワーユニットの内の１つが電気柵を駆動するように、フェンス出力監視回路によって同期して切り換えられるようになっており、避雷回路が、サージ電流をグランドに逃がす第１の避雷回路と、パワーユニットの出力側にそれぞれ設けられたインピーダンスの異なる第２の避雷回路とから構成されていることを特徴とする電気柵である。
【００１５】
本発明の第８の形態の電気柵は、第１から第７の形態の電気柵において、直流電源が、二次電池或いはコンデンサであることを特徴とする電気柵である。
【発明の効果】
【００１６】
本発明の電気柵によれば、停電や落雷があっても電気柵への通電が停止されることがなく継続でき、電気柵は常に機能しているので動物が脱柵せず、動物による二次被害が発生する虞が少ないという効果がある。
【発明を実施するための最良の形態】
【００１７】
以下、本発明の実施の形態を、具体的な実施例を示す添付図面を使用して詳細に説明する。なお、ここでは電気柵として、牧場等で使用されている電気牧柵を例にとって説明するが、電気柵はこの電気牧柵に限定されるものではない。
【００１８】
図１は本発明の電気柵の第１の実施例の構成を示すブロック回路図であり、本発明の電気柵の基本的な構成を示すものである。電気牧柵２０は、複数の杭２１と杭２１の間に、絶縁部材である碍子を介して掛け渡されたワイヤ２２とを備えている。即ち、ワイヤ２２は地面とは絶縁された状態で杭２１の間に張りめぐらされる。なお、杭２１自体が絶縁部材で構成されている場合には、碍子は必要がない。
【００１９】
このような電気牧柵２０には、パワーユニット１０から高電圧が印加される。また、この実施例では、パワーユニット１０と電気牧柵２０との間に避雷回路５が接続されている。そして、この実施例のパワーユニット１０は、バッテリ等の直流電源（６〜３０Ｖ）で駆動されるものであり、内部でこの直流電源からの直流電圧を昇圧して高電圧に変換する。このパワーユニット１０の構成は公知であるので、ここではその説明を省略する。
【００２０】
また、この実施例にはパワーユニット２０に直流電源を供給するために、第１のバッテリ１１と第２のバッテリ１２の２つのバッテリが設けられている。第１のバッテリの正端子は切換スイッチＳＷ１の端子ａと切換スイッチＳＷ２の端子ｂに接続されている。第１のバッテリの負端子は切換スイッチＳＷ３の端子ａと切換スイッチＳＷ４の端子ｂに接続されている。同様に、第２のバッテリの正端子は切換スイッチＳＷ１の端子ｂと切換スイッチＳＷ２の端子ａに接続されている。第２のバッテリの負端子は切換スイッチＳＷ３の端子ｂと切換スイッチＳＷ４の端子ａに接続されている。
【００２１】
切換スイッチＳＷ１の端子ｃは充電器２の正端子に接続され、切換スイッチＳＷ３の端子ｃは充電器２の負端子に接続されている。また、切換スイッチＳＷ２の端子ｃはパワーユニット１０の正端子に接続され、切換スイッチＳＷ４の端子ｃはパターユニット１０の負端子に接続されている。充電器２は１００Ｖの商用電源に接続されており、充電器２の出力電圧は切換回路３によって監視されている。切換回路３は、スイッチＳＷ１〜ＳＷ４の全ての端子ｃが、端子ａに接続されるか、或いは端子ｂに接続されるように、スイッチＳＷ１〜ＳＷ４の接続を同期して切り換えることができる。切換スイッチＳＷ１〜ＳＷ４には、例えばリレーが使用でき、切換回路３にはタイマーを内蔵させることができる。
【００２２】
今、切換回路３の動作により、スイッチＳＷ１〜ＳＷ４の全ての端子ｃが端子ｂに接続されている場合を考える。この状態は図１に実線で示される。この時は、第１のバッテリ１１がパワーユニット１０に電源を供給し、第２のバッテリ１２が充電器２によって充電される。一方、切換回路３の動作により、スイッチＳＷ１〜ＳＷ４の全ての端子ｃが端子ａに接続された場合を考える。この状態は図１に破線で示される。この時は、第２のバッテリ１２がパワーユニット１０に電源を供給し、第１のバッテリ１１が充電器２によって充電される。
【００２３】
なお、スイッチＳＷ１〜ＳＷ４は１２個の接点を備える１つのリレーで実現することができるが、３つの接点を備える４個のリレーからも構成することができる。スイッチＳＷ１〜ＳＷ４を４個のリレーから構成する場合は、リレーの各接点の間を離して設置することができる。これは、パワーユニットの出力トランスがオートトランスであったり、また、パワーユニットの接地が十分にとれていない場合、パワーユニットの入力側の正負端子間に高電圧が加わる場合があり、その短絡を防いで、切換スイッチＳＷ２とＳＷ４の破損を防ぐためである。
【００２４】
図２は本発明の電気柵の第２の実施例の構成を示すブロック回路図である。第２の実施例の構成が、第１の実施例の構成と異なる点は、第１の実施例における切換スイッチＳＷ３とＳＷ４が省略され、充電器２の負端子がパワーユニット１０の負端子に直接回路で接続され、これに伴って第１と第２のバッテリ１１，１２の負極がこの回路に接続されている点のみである。また、第２の実施例には第１の実施例に示した避雷回路５は図示していない。
【００２５】
従って、第２の実施例では、切換回路３の動作により、スイッチＳＷ１，ＳＷ２の両方の端子ｃが、実線で示すように共に端子ｂに接続されると、第１のバッテリ１１がパワーユニット１０に電源を供給し、第２のバッテリ１２が充電器２によって充電される。一方、切換回路３の動作により、スイッチＳＷ１，ＳＷ２の両方の端子ｃが、破線で示すように共に端子ａに接続されると、第２のバッテリ１２がパワーユニット１０に電源を供給し、第１のバッテリ１１が充電器２によって充電される。
【００２６】
なお、第２の実施例のスイッチＳＷ１，ＳＷ２には、端子ｃに接続する端子ａ，ｂの他に、端子ｃに端子ｄが接続できるようになっている。この端子ｄには回路は接続されておらず、端子ｃが端子ｄに接続された場合は、回路は切断されることになる。また、第２の実施例では、切換回路３に明るさ検出回路６が接続されている。この明るさ検出回路６は、検出した明るさで、昼と夜の区別を切換回路３に認識させることができるものである。
【００２７】
電気牧柵２０の使用方法として、猪などの夜行性の動物の排除のために、電気牧柵２０に夜間のみしか通電しない使用方法がある。このような場合、第２の実施例では、昼間と夜間の区別を明るさ検出回路６で検出し、昼間の時には切換回路３によってスイッチＳＷ２の端子ｃを端子ｄに接続してパワーユニット１０に第１と第２のバッテリ１１，１２の何れも接続されないようにし、このとき、スイッチＳＷ１の端子ｃを端子ａか端子ｂの何れかに接続して第１と第２のバッテリ１１，１２の何れかを充電することができる。そして、夜間は、スイッチＳＷ２の端子ｃを端子ａか端子ｂの何れかに接続してパワーユニット１０に電源を供給して電気牧柵２０を動作させ、スイッチＳＷ１は、端子ｃをスイッチＳＷ２の端子ｃが接続する端子と異なる端子に接続して、パワーユニット１０に電源を供給していない方のバッテリを充電するか、中立状態にする。
【００２８】
なお、第１の実施例のスイッチＳＷ１〜ＳＷ４にも端子ｄを追加するとともに、明るさ検出回路６を切換回路３に接続すれば、第２の実施例と同じように、夜間のみ電気牧柵２０を動作させるようにすることができる。
【００２９】
また、図１、図２で説明した実施例では、充電器２が商用電源１００Ｖに接続されているが、充電器２には、商用電源１００Ｖの代わり、或いは、商用電源１００Ｖに加えて、図７に示すように並列に、ソーラーパネル９が接続されていても良い。ソーラーパネル９を充電器２に接続する場合は、スイッチＳＷ８を介して接続し、このスイッチＳＷ８は明るさ検出回路６が夜間を検出した場合にはオフするように構成すれば良い。これはソーラーパネル９は夜間は放電する機能があるからである。
【００３０】
図３は本発明の電気柵の第３の実施例の構成を示すブロック回路図である。第３の実施例が第１の実施例と異なる点は、切換回路３に電圧監視回路４が接続されている点のみである。電圧監視回路４は、パワーユニット１０の入力電圧を監視してこれを切換回路３に報告するものである。この第３の実施例にも第１の実施例に示した避雷回路５は図示していない。この電圧監視回路４を用いることにより、パワーユニット１０の入力電圧が低くなった時に、切換回路３がパワーユニット１０に接続するバッテリを切り換えることができるようになる。
【００３１】
図４は本発明の電気柵の第４の実施例の構成を示すブロック回路図である。第４の実施例が第１の実施例と異なる点は、パワーユニット１０に電源を供給できるバッテリが、第１〜第３のバッテリ１１〜１３の３個ある点のみである。この第４の実施例にも第１の実施例に示した避雷回路５は図示していない。
【００３２】
バッテリが３個設けられている場合には、充電器２とパワーユニット１０との間の回路が、充電器２の正端子側に３回路、負端子側に３回路の合計６回路必要となる。そして、それぞれの回路の充電器２側とパワーユニット１０側にオンオフスイッチＳＷ１〜ＳＷ１２が設けられている。第１のバッテリ１１の正端子はスイッチＳＷ１とＳＷ２に接続し、負端子はスイッチＳＷ７とＳＷ８に接続している。第２のバッテリ１２の正端子はスイッチＳＷ３とＳＷ４に接続し、負端子はスイッチＳＷ９とＳＷ１０に接続している。第３のバッテリ１３の正端子はスイッチＳＷ５とＳＷ６に接続し、負端子はスイッチＳＷ１１とＳＷ１２に接続している。
【００３３】
このように、バッテリを３つ設けた場合には、その内の１つのバッテリでパワーユニット１０を駆動し、他の２つのバッテリを待機状態、或いは、他の２つのバッテリの内の一方を待機状態、他方を充電状態にすることができる。充電するバッテリの選択、及び電気牧柵を動作させるバッテリの選択は、第１〜第３のバッテリ１１〜１３に接続した電圧監視回路４によって検出した第１から第３のバッテリ１１〜１３の出力電圧を切換回路３に通知することにより、切換回路３によって行うことができる。
【００３４】
圧監視回路４には、切換スイッチＳＷ１，ＳＷ３，ＳＷ５，ＳＷ７，ＳＷ９及びＳＷ１１を切り換える回路と、切換スイッチＳＷ２，ＳＷ４，ＳＷ６，ＳＷ８，ＳＷ１０及びＳＷ１２を切り換える回路が独立して設けられており、これら２つの独立回路は電気的に絶縁されている。この電気的に絶縁されているとは、例えば、後述する図５に示すように、第１のバッテリ１１に接続する切換スイッチＳＷ１とＳＷ３の駆動回路と、第２のバッテリ１２に接続する切換スイッチＳＷ２とＳＷ４の駆動回路とが、切換回路３に対してはそれぞれ光で駆動されるようになっており、切換スイッチＳＷ１とＳＷ３の駆動回路を流れる電気信号では、切換スイッチＳＷ２とＳＷ４の駆動回路が駆動されないことを意味している。
【００３５】
なお、第４の実施例では、バッテリ１１、１２、１３の異常を検出する方法としてバッテリの出力電圧の低下を検出し、出力電圧が所定電圧以下になった事をもってバッテリの異常と判定しているが、バッテリの異常の判定には次のような方法もあり、これらを使用してバッテリの異常判定を行っても良い。
（１）バッテリに負荷を接続した時の出力電圧の下がり具合や回復する電力（回復起電力）を測定基準にして劣化状態を診断するロードテスタ法。
（２）バッテリ内の電流の流れ易さを測定基準とするコンダクタンス法。
【００３６】
図５は図３で説明した切換スイッチＳＷ１〜ＳＷ４の切換回路の別の例を示す回路図である。図５において、Ｅ１〜Ｅ３は発光ダイオード、ＰＴ１〜ＰＴ３はフォトセンサであるフォトトランジスタ、Ｔ１、Ｔ２はトランジスタ、Ｄ１，Ｄ２はダイオード、Ｌ１、Ｌ２はソレノイドコイルである。電圧監視回路４がパワーユニット１０への入力電圧の低下を検出すると、これＢが発光ダイオードＥ１とフォトセンサＰＴ１により無線で切換回路３に伝わり、切換回路３は発光ダイオードＥ２，Ｅ３を発光させてソレノイドコイルＬ１，Ｌ２を駆動してスイッチＳＷ１〜ＳＷ４を切り換えるのである。
【００３７】
図６は図１で説明した電気柵２０を駆動するためのパワーユニット１０を複数個（この実施例では２個）にした場合の構成を示すものである。商用電源１から第２と第４のスイッチＳＷ２、ＳＷ４までの構成は図１と同じであるので、ここまでの構成の説明は省略する。また、この実施例では２つのパワーユニットを第１のパワーユニット１０Ａと第２のパワーユニット１０Ｂとする。
【００３８】
第１のパワーユニット１０Ａと第２のパワーユニット１０Ｂを設ける場合は、これらのユニットの入力側に切換スイッチＳＷ５とＳＷ６を設ける。切換スイッチＳＷ５とＳＷ６の接点ｃは、それぞれ切換スイッチＳＷ４とＳＷ２の接点ｃに接続されている。第１のパワーユニット１０Ａの正端子は切換スイッチＳＷ６の端子ｂに接続され、第１のパワーユニット１０Ａの負端子は切換スイッチＳＷ５の端子ｂに接続されている。また、第２のパワーユニット１０Ｂの正端子は切換スイッチＳＷ６の端子ａに接続され、第２のパワーユニット１０Ｂの負端子は切換スイッチＳＷ５の端子ａに接続されている。
【００３９】
第１のパワーユニット１０Ａと第２のパワーユニット１０Ｂの出力側の負端子は接地されており、正端子はそれぞれ切換スイッチＳＷ７の端子ａと端子ｂに接続されている。そして、この切換スイッチＳＷ７の端子ｃが電気牧柵２０に接続されている。なお、この実施例では、切換スイッチＳＷ７の端子ｃと電気牧柵２０の間に避雷回路５が、第１のパワーユニット１０Ａと切換スイッチＳＷ７の端子ａの間に避雷回路３１が、第２のパワーユニット１０Ｂと切換スイッチＳＷ７の端子ｂと間に避雷回路３２が設けられている。避雷回路３１はインピーダンスＬ１を有しており、避雷回路３２はインピーダンスＬ２を有している。
【００４０】
避雷回路３１と避雷回路３２は、避雷回路５と相まって、電気牧柵２０に落雷があった場合のサージ電流を効率的に地面に逃がし、第１と第２のパワーユニット１０Ａ，１０Ｂを落雷の被害から守るためのものである。
【００４１】
そして、切換スイッチＳＷ７は、第１と第２のパワーユニット１０Ａ、１０Ｂの何れかが稼働している時、高電圧が稼働していない側のパワーユニットの回路に流れないようにしている。即ち、第１と第２のパワーユニット１０Ａ、１０Ｂの何れか一方は電気牧柵２０から浮いた状態にすることにより、電気牧柵２０への落雷のダメージを防止して信頼性の高い電気牧柵２０を実現することができる。また、インピーダンスＬ１とＬ２の値は異なるように作ることができる。これは、落雷があった場合、切換スイッチＳＷ７によって浮いた状態にあるパワーユニットに端子を飛び越してサージ電流が流れる場合があり、このような場合は、サージ電流の流れ方を異ならせることにより、サージ電流によって破壊されるパワーユニットが第１のパワーユニット１０Ａと第２のパワーユニット１０Ｂの何れか一方だけに留めようとするものである。
【００４２】
更に、切換スイッチＳＷ７の端子ｃと電気牧柵２０との間にはフォトセンサ７が設けられており、このフォトセンサ７の出力が電気牧柵２０への出力としてフェンス出力監視回路８によって監視されている。フェンス出力監視回路８は切換スイッチＳＷ２，ＳＷ４の出力電圧も監視している。フェンス出力監視回路８は、電気牧柵２０を駆動しているパワーユニットの出力を監視しており、稼働しているパワーユニットの機能の不良や停止が確認された場合には切換スイッチＳＷ５，ＳＷ６、及び切換スイッチＳＷ７を同期させて切り換え、稼働していなかった方のパワーユニットにより電気牧柵２０を駆動させる。
【００４３】
なお、以上説明した構成においては、電気柵として電気牧柵を説明したが、本発明は電気牧柵以外の電気柵にも適用が可能である。また、本発明では、パワーユニットを完全に絶縁した状態とすることができるので、電気柵の信頼性を向上させることが可能である。
【００４４】
以上説明した実施例に加えて、本発明の電気柵では以下のような実施例が可能である。
（１）切換回路にタイマを内蔵させ、２個、又は３個のバッテリの切換をバッテリのパワーユニットへの接続時間で行う。
（２）複数個設けるバッテリの容量に大容量のものと、小容量のものを使用し、停電時には大容量のバッテリからパワーユニットへの電源の供給を行う。
（３）バッテリの寿命を長くするために、充電時間、放電時間を監視し、バッテリに過放電、過充電が行われないような制御回路を設置する。
（４）バッテリの代わりに、電解コンデンサ、電解二重層コンデンサ（電気二重層）を使用する。
（５）電気牧柵に供給する電圧を昼夜で切り換えるために、バッテリに電圧の異なるものを用意する。
（６）バッテリの接続を切り換えるスイッチに、トランジスタ等の電子部品を使用した電子回路を採用する。
（７）電圧監視回路によって落雷時のサージ電流を検出し、サージ電流検出時には全てのスイッチを中立状態にする。
（８）充電器又はバッテリを電気牧柵の一部として組み込んだ構成、
【図面の簡単な説明】
【００４５】
【図１】本発明の電気柵の第１の実施例の構成を示すブロック回路図である。
【図２】本発明の電気柵の第２の実施例の構成を示すブロック回路図である。
【図３】本発明の電気柵の第３の実施例の構成を示すブロック回路図である。
【図４】本発明の電気柵の第４の実施例の構成を示すブロック回路図である。
【図５】切換スイッチの別の例を示す回路図である。
【図６】本発明の電気柵の第５の実施例の構成を示すブロック回路図である。
【図７】図２に示した本発明の電気柵に切換スイッチとソーラーパネルとを追加した構成を示す変形実施例である。
【符号の説明】
【００４６】
１    商用電源
２    充電器
３    切換回路
４    電圧監視回路
５    避雷回路
６    明るさ検出回路
１０，１０Ａ，１０Ｂ    パワーユニット
１１〜１３    バッテリ
２０    電気牧柵
３１，３２    避雷回路
【図１】
2006174703.tif 000003
【図２】
2006174703.tif 000004
【図３】
2006174703.tif 000005
【図４】
2006174703.tif 000006
【図５】
2006174703.tif 000007
【図６】
2006174703.tif 000008
【図７】
2006174703.tif 000009